(57)【要約】【課題】風呂蓋を備える浴槽装置において、施蓋した風呂蓋が外し易く、施蓋の際に風呂蓋と浴槽本体の間に手指を挟み難い浴槽装置の技術を提供する。【解決手段】風呂蓋８０が施蓋された浴槽本体１１０を備える。浴槽本体１１０は、風呂蓋８０の少なくとも一部を囲む側壁部１１６と、側壁部１１６の下側に棚状にせり出して風呂蓋８０が載せられたフランジ段部１１４と、を有する。側壁部１１６の上端部１１６ｂは、風呂蓋８０の外周面８２に手指１１８の先を置くことができる程度に風呂蓋８０の外周面８２の上端部８２ｂから離れて設けられる。【選択図】図３
2017119007.tif 000002
【特許請求の範囲】
【請求項１】
風呂蓋が施蓋された浴槽本体を備え、
前記浴槽本体は、前記風呂蓋の少なくとも一部を囲む側壁部と、前記側壁部の下側に棚状にせり出して前記風呂蓋が載せられたフランジ段部と、を有し、
前記側壁部の上端部は、前記風呂蓋の外周面に手指の先を置くことができる程度に前記風呂蓋の外周面の上端部から離れて設けられることを特徴とする浴槽装置。
【請求項２】
前記側壁部の上端部は、前記風呂蓋の外周面の上端部より下側に位置することを特徴とする請求項１に記載の浴槽装置。
【請求項３】
前記側壁部の上端部は、平面視にて、前記風呂蓋の外周面の上端部から、手指の先が入る程度の隙間を介して離れていることを特徴とする請求項１または２に記載の浴槽装置。
【請求項４】
上部周縁部と、前記上部周縁部の内周端から下側に延在する側壁部と、前記側壁部の下側に棚状にせり出すフランジ段部と、を有する浴槽本体の前記フランジ段部に載せられるべき風呂蓋であって、
当該風呂蓋の外周面は、平面視にて、前記フランジ段部の外周側の形状に沿った形状を有することを特徴とする風呂蓋。
【請求項５】
前記風呂蓋の外周面の上端部は、前記側壁部の上端部より上側に位置することを特徴とする請求項４に記載の風呂蓋。
【請求項６】
前記風呂蓋の外周面の上端部は、平面視にて、前記側壁部の上端部から、手指の先が入る程度の隙間を介して離れていることを特徴とする請求項４または５に記載の風呂蓋。
【発明の詳細な説明】
【技術分野】
【０００１】
本発明は、浴槽本体と風呂蓋を備える浴槽装置および風呂蓋に関する。
【背景技術】
【０００２】
従来から、浴槽本体と、その浴槽本体に施蓋する風呂蓋とを備える浴槽装置が知られている。例えば特許文献１には浴槽本体と風呂蓋を備える浴槽装置が記載されている。
【先行技術文献】
【特許文献】
【０００３】
【特許文献１】特許５４１６３４４号公報
【発明の概要】
【発明が解決しようとする課題】
【０００４】
ところで、特許文献１に記載の浴槽装置は、浴槽本体の上端部の浴槽フランジの上面が非平面形状に形成されており、風呂蓋が浴槽本体の開口部周辺の内面に接するように落とし込まれた状態で、風呂蓋が着脱自在に施蓋される。そして施蓋状態にある風呂蓋の上面が非平面形状の浴槽フランジの最も低い上面位置よりも上方に突出しないようにされている。
【０００５】
このような浴槽装置では、風呂蓋が浴槽本体の段落ち部にしっかり納まっており、風呂蓋の上面が上方に突出しないため、風呂蓋を外す際に風呂蓋の外周面に手指を掛け難く、風呂蓋を外す作業に困難を伴うことが考えられる。また、逆に風呂蓋を施蓋する際に風呂蓋と浴槽フランジの間に指を挟む恐れがあり、使用者に慎重を強いる余計な負担を掛ける懸念がある。
【０００６】
また、風呂蓋上面をえぐって取手を形成することも考えられるが、この場合は、取手を形成するための余計な手間が掛かり、また取手の部分に汚れがたまる懸念もある。このように従来の浴槽装置には、施蓋した風呂蓋が外し易く、施蓋の際に風呂蓋と浴槽本体の間に手指を挟み難くする観点から改善の余地があった。
【０００７】
本発明の目的は、このような課題に鑑みてなされたもので、風呂蓋を備える浴槽装置において、施蓋した風呂蓋が外し易く、施蓋の際に風呂蓋と浴槽本体の間に手指を挟み難い浴槽装置の技術を提供することにある。
【課題を解決するための手段】
【０００８】
上記課題を解決するために、本発明のある態様の浴槽装置は、風呂蓋が施蓋された浴槽本体を備える。浴槽本体は、風呂蓋の少なくとも一部を囲む側壁部と、側壁部の下側に棚状にせり出して風呂蓋が載せられたフランジ段部と、を有する。側壁部の上端部は、風呂蓋の外周面に手指の先を置くことができる程度に風呂蓋の外周面の上端部から離れて設けられる。
【０００９】
この態様によると、浴槽装置において、施蓋した状態で、側壁部の上端部は、風呂蓋の外周面に手指の先を置くことができる程度に風呂蓋の外周面の上端部から離れて設けられるから、風呂蓋の外周面に手指の先を置いて支持することが可能になり、浴槽本体から風呂蓋を容易に外すことができ、また施蓋する際に手指を挟む可能性を小さくできる。
【００１０】
本発明の別の態様は、風呂蓋である。この風呂蓋は、上部周縁部と、上部周縁部の内周端から下側に延在する側壁部と、側壁部の下側に棚状にせり出すフランジ段部と、を有する浴槽本体のフランジ段部に載せられるべき風呂蓋であって、当該風呂蓋の外周面は、平面視にて、フランジ段部の外周側の形状に沿った形状を有する。
【００１１】
この態様によると、風呂蓋の外周面が浴槽本体のフランジ段部の外側の形状に沿った形状に形成されるから、風呂蓋と側壁部との隙間の周方向の偏りを小さくすることができる。
【発明の効果】
【００１２】
本発明によれば、風呂蓋を備える浴槽装置において、施蓋した風呂蓋が外し易く、施蓋の際に風呂蓋と浴槽本体の間に手指を挟み難い浴槽装置の技術を提供することができる。
【図面の簡単な説明】
【００１３】
【図１】実施形態に係る浴槽装置を示す斜視図である。
【図２】図１のＡ−Ａ線に沿った縦断面図である。
【図３】図２の一部を拡大して示す縦断面図である。
【図４】実施形態に係る浴槽装置の平面図である。
【図５】比較例に係る浴槽装置の縦断面図である。
【図６】図５の一部を拡大して示す縦断面図である。
【図７】第１変形例に係る浴槽装置の縦断面図である。
【図８】図７の一部を拡大して示す縦断面図である。
【図９】第２変形例に係る浴槽装置の縦断面図である。
【図１０】図９の一部を拡大して示す縦断面図である。
【図１１】第３変形例に係る浴槽装置の縦断面図である。
【図１２】図１１の一部を拡大して示す縦断面図である。
【図１３】第３変形例の浴槽装置に別の風呂蓋を使用する例を示す模式図である。
【発明を実施するための形態】
【００１４】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
（実施形態）
図１は、本発明の実施形態に係る浴槽装置１００を示す斜視図であり、図２は、浴槽装置１００のＡ−Ａ線に沿って切断した縦断面図であり、図３は図２の一部を拡大して示す縦断面図である。図２及び図３の縦断面図において、後述する浴槽本体１１０の断面は内側または上側の表面部分を図示しており、その他の図５から図１２の縦断面図における浴槽の断面についても同様である。以下、ＸＹＺ直交座標系をもとに、浴槽本体１１０を風呂蓋８０で施蓋した状態の浴槽装置１００の姿勢における方向に基づいて説明する。方向Ｘは水平な左右方向であって浴槽装置１００の長手方向に対応する。方向Ｙは水平な前後方向であって浴槽装置１００の短手方向に対応する。方向Ｚは鉛直な上下方向であって風呂蓋８０の厚み方向に対応する。方向Ｙおよび方向Ｚはそれぞれ方向Ｘに直交に直交する。方向Ｘは左方向あるいは右方向と、方向Ｙは前方向あるいは後方向と、方向Ｚは上方向あるいは下方向と表記することがある。図１において浴槽装置１００を矢印Ｑの方向から視て向かって右側を右と、左側を左という。
【００１６】
浴槽装置１００は、図１に示すように、風呂蓋８０が施蓋された浴槽本体１１０を備える。浴槽本体１１０は、図２に示すように、フランジ部１１２と、側壁部１１６と、フランジ段部１１４と、中側面部１０４と、中段部１０５と、下側面部１０６と、底面部１０８と、を有する。フランジ部１１２は、浴槽本体１１０の上部に周設される上部周縁部である。側壁部１１６は、フランジ部１１２の内側からフランジ段部１１４の外側にかけて延在する。側壁部１１６は、風呂蓋８０の少なくとも一部を囲むように周状に設けられる。フランジ段部１１４は、フランジ部１１２の内側にフランジ部１１２より下方に設けられる。フランジ段部１１４は、側壁部１１６の下側に棚状にせり出して風呂蓋８０が載せられている。フランジ段部１１４は、周状に連続してまたは断続的に設けられてもよい。中側面部１０４は、フランジ段部１１４の下側に下向に延在する壁状の部分である。中段部１０５は、中側面部１０４の下側に棚状にせり出す部分である。下側面部１０６は、中段部１０５の下側に下向に延在する壁状の部分である。中側面部１０４と下側面部１０６は周状に設けられる。底面部１０８は、下側面部１０６の下側に略水平方向に延在して、浴槽本体１１０の下部を塞ぐ部分である。
【００１７】
浴槽本体１１０は、２枚の風呂蓋８０がフランジ段部１１４に載せられることで、施蓋されるように構成されている。図１の例では、浴槽本体１１０のフランジ段部１１４には、風呂蓋８０の横に入浴者が腰掛けるためのバスボード９０が置かれている。このように異なった機能を備えるバスボード９０が置かれてもよいし、全て同じ種類の風呂蓋であってもよい。また、フランジ部１１２の一つには入浴者が頭を置くための枕部材９２が取り付けられている。
【００１８】
図４は浴槽装置１００の一部を示す平面図である。図４は、理解を容易にするため、枕部材９２の記載を省略している。風呂蓋８０は、略矩形の上下方向の両側の端面８０ａ、８０ｂと端面８０ａ、８０ｂの縁を厚み方向に繋ぐ外周面８２とを有する（図２も参照）。風呂蓋８０は、芯部材の厚み方向の両面に設けられる表面部材を有する本体部４０と、本体部４０の外周面を覆うカバー部材１０と、を有する。風呂蓋８０については後述する。
【００１９】
（比較例）
ここで、先に比較例に係る浴槽装置５００について説明する。図５は浴槽装置５００の縦断面図であり、図６は図５の一部を拡大する縦断面図である。図５は図２に対応し、図６は図３に対応している。浴槽装置５００は、本発明の実施の形態の浴槽装置１００に対して、側壁部５１６の形状が異なる他は同様であり、重複する説明は省略する。
【００２０】
浴槽装置５００は、フランジ段部１１４に風呂蓋８０が載せられて施蓋されている状態で、風呂蓋８０の外周面８２の上端は側壁部５１６の上端と同じ高さに位置している。つまり風呂蓋８０の外周面８２はすべて側壁部５１６に囲まれている。また、側壁部５１６の内周面は、風呂蓋８０の外周面８２との隙間Ｓ５は手指１１８の先を差し込むことができない程度の形状に形成されている。
【００２１】
この浴槽装置５００では、風呂蓋８０が浴槽本体１１０の側壁部５１６に全体が収容されているから、風呂蓋８０の外周面８２の上端が側壁部５１６の上端から上方に突出してないため、風呂蓋８０を外す際に風呂蓋８０の外周面に手指１１８を置くことができず、風呂蓋８０を外す作業に困難を伴う。また、外していた風呂蓋８０を浴槽本体１１０に施蓋する際に、風呂蓋８０と側壁部５１６の間に指を挟む恐れがあり、使用者に慎重な操作を強いる恐れがある。
【００２２】
以上の比較例に係る浴槽装置５００の考察を踏まえて、実施形態に係る浴槽装置１００を説明する。浴槽装置は、浴槽本体の側壁部に嵌め込まれた状態で、風呂蓋の外周面に手指を置いて風呂蓋の一端を支えながら持ち上げできることが望ましい。そこで、浴槽装置１００では、図３に示すように、側壁部１１６の上端部１１６ｂが、風呂蓋８０の外周面８２に手指１１８の先を置くことができる程度に風呂蓋８０の外周面８２の上端部８２ｂから離れて設けられている。つまり、浴槽装置１００では、風呂蓋８０の外周面８２を囲む空間１２６に手指１１８の先を挿入できるように構成されている。空間１２６に挿入した状態の手指１１８の先によって風呂蓋８０の外周面８２に触れて押しつけることで、外周面８２に手指１１８の先を置くことができる（特に図３を参照）。
【００２３】
浴槽本体の側壁部に嵌め込まれた風呂蓋の外周面に手指を添えることができるように、風呂蓋の外周面は側壁部から上方に突出している部分を有することが望ましい。そこで、浴槽装置１００では、側壁部１１６の上端部１１６ｂは、風呂蓋８０の外周面８２の上端部８２ｂより下側に位置している。つまり、風呂蓋８０の外周面８２の上端部８２ｂは側壁部１１６の上端部１１６ｂから上方に突出している。
【００２４】
上端部８２ｂの上端部１１６ｂからの上下方向の突出寸法は、例えば５ｍｍ以上に形成されてもよい。この場合、手指１１８の先を外周面８２に添えることができる。上端部８２ｂの上端部１１６ｂからの上下方向の突出寸法は、例えば８ｍｍ以上に形成されてもよい。この場合、手指１１８の内側の中程の領域を外周面８２に添えることができる。また、当該突出寸法は手指１１８の先の幅より大きく形成されてもよい。この場合、手指１１８と接触可能な範囲が広くなり、より確りと風呂蓋８０の外周面８２に手指１１８を押しつけることができる。側壁部１１６の上端部１１６ｂは、風呂蓋８０の重心の高さ位置より下側に位置するように形成されてもよい。特に、上端部１１６ｂは、風呂蓋８０の方向Ｚの中央より下側に形成されてもよい。方向Ｚにおいて、当該重心が風呂蓋８０の方向Ｚの中央の近傍に位置する場合に、当該重心より下側の位置で風呂蓋８０の外周面８２に手指１１８の先を添えることが可能になる。
【００２５】
浴槽本体の側壁部に嵌め込まれた風呂蓋の外周面に、より奥まで手指を挿入できるように、側壁部は外周面から水平方向で外側に離れていることが望ましい。そこで、浴槽装置１００では、側壁部１１６の上端部１１６ｂは、平面視にて、風呂蓋８０の外周面８２の上端部８２ｂから、手指１１８の先が入る程度の隙間１２４を介して離れている。
【００２６】
隙間１２４は、その間に手指１１８が挿入できる程度の間隔に形成されることが望ましい。隙間１２４の間隔を８ｍｍ以上に形成することで、隙間１２４に手指１１８を挿入できる。隙間１２４の間隔を１０ｍｍ以上に形成することで、隙間１２４に手指１１８を容易に挿入できる。隙間１２４の間隔を１２ｍｍ以上に形成することで、隙間１２４に手指１１８を一層容易に挿入できる。隙間１２４の間隔が過度に大きいと風呂蓋が一方側に寄った場合に、風呂蓋端面から熱が逃げやすくなり、保温性が低下する恐れがある。このため隙間１２４は、風呂蓋が一方側に寄った場合に浴槽面に少なくとも５ｍｍかかるように、形成されていてもよい。
【００２７】
（風呂蓋）
次に、図３および図４を参照して浴槽装置１００の風呂蓋８０について説明する。
風呂蓋８０の本体部４０の芯部材は保温性を有する発泡ポリスチレンなどの発泡樹脂の板材から機械的な加工によって形成される。本体部４０の表面部材は、耐湿性を有するポリプロピレンなどの樹脂の薄板材から機械的な加工によって形成される。カバー部材１０は、熱可塑性を有するオレフィン系エラストマーなどのゴム様の樹脂から形成される。
【００２８】
側壁部の下側に棚状にせり出すフランジ段部に載せられる風呂蓋について、風呂蓋の外周面の形状が、フランジ段部の外側の形状と大きく異なると、側壁部と風呂蓋の外周面との隙間が周方向に偏ることがある。このような隙間の偏りが大きいと、浴槽装置の美観の低下を招く恐れがあり、デザイン上の観点で好ましいとはいえない。このため、側壁部と風呂蓋の外周面との隙間の偏りを小さくすることが望まれる。そこで、浴槽装置１００の風呂蓋８０では、図４に示すように、外周面８２が、平面視にて、フランジ段部１１４の外周側の形状に沿った形状を有する。この場合、側壁部１１６と風呂蓋８０の外周面８２との隙間の偏りを小さくすることができる。この結果、浴槽装置１００の美観の低下を緩和できる。
【００２９】
また、風呂蓋８０では、風呂蓋８０の外周面８２の上端部８２ｂは、側壁部１１６の上端部１１６ｂより上側に位置している。このため、図３に示すように、側壁部１１６から上方に突出している領域に手指１１８を置いて、風呂蓋８０の一端を支持することができる。また、風呂蓋８０では、風呂蓋８０の外周面８２の上端部８２ｂが、平面視にて、側壁部１１６の上端部１１６ｂから、手指１１８の先が入る程度の隙間１２４を介して離れている。このため、図３に示すように、隙間１２４に手指１１８の先を挿入して外周面８２の奥まで指を置くことができる。
【００３０】
次に、本発明の実施形態の浴槽装置１００の特徴を説明する。
浴槽装置１００では、側壁部１１６の上端部１１６ｂは、風呂蓋８０の外周面８２に手指１１８の先を置くことができる程度に風呂蓋８０の外周面８２の上端部８２ｂから離れて設けられているから、施蓋した状態でも風呂蓋８０の外周面８２に手指１１８を置いて風呂蓋８０の一端を支えながら持ち上げることが可能になる。この結果、風呂蓋８０は容易に外すことができ、施蓋する際に手指１１８を挟む可能性も小さくできる。
【００３１】
浴槽装置１００では、側壁部１１６の上端部１１６ｂが、風呂蓋８０の外周面８２の上端部８２ｂより下側に位置するから、風呂蓋８０の外周面８２の側壁部１１６から上方に突出している領域に手指１１８を置いて、風呂蓋８０の一端を支持することができる。
【００３２】
浴槽装置１００では、側壁部１１６の上端部１１６ｂは、平面視にて、風呂蓋８０の外周面８２の上端部８２ｂから、手指１１８の先が入る程度の隙間１２４を介して離れているから、隙間１２４に手指１１８を挿入して外周面８２の奥まで指を置くことができる。
【００３３】
（第１変形例）
次に、第１変形例に係る浴槽装置２００について説明する。図７は浴槽装置２００の縦断面図であり、図８は図７の一部を拡大して示す縦断面図である。図７は図２に対応し、図８は図３に対応している。浴槽装置２００は、本発明の実施の形態の浴槽装置１００に対して、側壁部２１６の形状が異なる他は同様であり、重複する説明は省略する。
【００３４】
浴槽装置２００は、フランジ段部１１４に風呂蓋８０が載せられて施蓋されている状態で、側壁部２１６は、風呂蓋８０の外周面８２との隙間は手指１１８の幅より狭く形成されている。また、浴槽装置２００では、側壁部２１６の上端部２１６ｂは、風呂蓋８０の外周面８２の上端部８２ｂより下側に位置している。このように構成することにより、風呂蓋８０の外周面８２は、側壁部２１６の上端部２１６ｂより上側に突出しているから、その突出している領域に手指１１８の先を置くことができる。浴槽装置２００は、浴槽装置１００と同様の構成を備えることで、その構成について浴槽装置１００で説明した内容の同様の特徴を有することは明らかである。
【００３５】
（第２変形例）
次に、第２変形例に係る浴槽装置３００について説明する。図９は浴槽装置３００の縦断面図であり、図１０は図９の一部を拡大して示す縦断面図である。図９は図２に対応し、図１０は図３に対応している。浴槽装置３００は、本発明の実施の形態の浴槽装置１００に対して、側壁部３１６の形状が異なる他は同様であり、重複する説明は省略する。
【００３６】
浴槽装置３００は、フランジ段部１１４に風呂蓋８０が載せられて施蓋されている状態で、側壁部３１６の上端は風呂蓋８０の外周面８２の上端と同じ高さに位置している。また、側壁部３１６の上端部３１６ｂは、平面視にて、風呂蓋８０の外周面８２の上端部８２ｂから、手指１１８の先が入る程度の隙間１２４を介して離れて外側に位置している。このように構成することにより、隙間１２４に手指１１８を挿入して外周面８２に指を置くことができる。浴槽装置３００は、浴槽装置１００と同様の構成を備えることで、その構成について浴槽装置１００で説明した内容の同様の特徴を有することは明らかである。
【００３７】
（第３変形例）
次に、第３変形例に係る浴槽装置４００について説明する。図１１は浴槽装置４００の縦断面図であり、図１２は図１１の一部を拡大して示す縦断面図である。図１１は図２に対応し、図１２は図３に対応している。浴槽装置４００は、本発明の実施の形態の浴槽装置１００に対して、側壁部４１６の形状が異なる他は同様であり、重複する説明は省略する。また、浴槽装置４００では、側壁部４１６が浴槽装置３００の側壁部３１６より上下方向（方向Ｚ）に対する傾斜が大きく形成されている。浴槽装置４００は、側壁部４１６の傾斜が大きいことによって、施蓋の際に風呂蓋８０の位置がずれて、その一端が側壁部４１６の途中に掛かった場合でも、側壁部４１６の傾斜をスライドすることで所定の位置に精度よく納めることができる。側壁部４１６は、例えば方向Ｚに対する傾斜が３０度から６０度の範囲に形成されてもよい。側壁部４１６の方向Ｚに対する傾斜は実質的に４５度に形成されてもよい。
【００３８】
浴槽装置４００は、フランジ段部１１４に風呂蓋８０が載せられて施蓋されている状態で、側壁部４１６の上端は風呂蓋８０の外周面８２の上端と同じ高さに位置している。しかし、側壁部４１６の上端部４１６ｂは、平面視にて、風呂蓋８０の外周面８２の上端部８２ｂから手指１１８の先が入る程度の隙間１２４を介して離れている。このため、隙間１２４に手指１１８を挿入して外周面８２に指を置くことができる。なお、風呂蓋８０の外周の上面は、略平坦な形状であってもよく、手かけできる程度の窪みを有する形状であってもよい。浴槽装置４００は、浴槽装置１００と同様の構成を備えることで、その構成について浴槽装置１００で説明した内容と同様の特徴を有することは明らかである。
【００３９】
なお、浴槽装置４００の説明では、風呂蓋の外周面は平坦である場合について説明したが、これに限られない。例えば、風呂蓋の外周面は、手指が掛けられる程度のくぼみ形状を有してもよい。図１３は、外周面４８２に手指１１８が掛けられる程度のくぼみ４８４と突起４８５，４８６を有し、上面４８０ａがフランジ部１１２より高い位置に設けられる風呂蓋４８０を浴槽装置４００に使用する例を示している。このような風呂蓋４８０を使用することによって、手指１１８の先を突起４８５の下側に掛けて、フランジ部１１２の端を支点として、手指１１８を梃子のように利用して風呂蓋４８０を持ち上げることができる。この場合、梃子の原理が働くことで手指１１８への負担が軽くなるから、風呂蓋４８０を容易に持ち上げることができる。
【００４０】
以上、本発明の実施の形態およびその変形例をもとに説明した。これらの実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４１】
１０  カバー部材、  ４０  本体部、  ８０  風呂蓋、  ８２  外周面、
８２ｂ  上端部、  １００  浴槽装置、  １１０  浴槽本体、
１１２  フランジ部、  １１４  フランジ段部、  １１６  側壁部、
１１６ｂ  上端部、  １１８  手指、  １２４  隙間、  １２６  空間、
２００  浴槽装置、  ２１６  側壁部、  ２１６ｂ  上端部、
３００  浴槽装置、  ３１６  側壁部、  ３１６ｂ  上端部、
４００  浴槽装置、  ４１６  側壁部、  ４１６ｂ  上端部。
【図１】
2017119007.tif 000003
【図２】
2017119007.tif 000004
【図３】
2017119007.tif 000005
【図４】
2017119007.tif 000006
【図５】
2017119007.tif 000007
【図６】
2017119007.tif 000008
【図７】
2017119007.tif 000009
【図８】
2017119007.tif 000010
【図９】
2017119007.tif 000011
【図１０】
2017119007.tif 000012
【図１１】
2017119007.tif 000013
【図１２】
2017119007.tif 000014
【図１３】
2017119007.tif 000015